(57)【要約】【課題】Ａ４版やＢ５版の長尺の単票紙を給紙可能な給紙ローラを使用して、名刺サイズなどの短尺用紙も問題なく給紙することができる短尺用紙給紙装置を提供すること。【解決手段】給紙ローラ１３の外周面１２が長尺用紙Ｐの送り方向長さより短く、名刺やフォトカード等の短尺用紙Ｑの送り方向長さより長く設定されており、短尺用紙Ｑを給紙トレイ１１から給紙するときには、給紙ローラ１３が回転しているときに、その外周面の開始端３５と終端３６との間の短尺用紙の送り方向長さより短い長さの作用領域だけが、短尺用紙Ｑの先端付近から後端付近にかけて摩擦接触するようにホッパ９の先端側が上方位置と下方位置との間で上下動するように制御されている。【選択図】　　　　図４
2004043171.tif 000002
【特許請求の範囲】
【請求項１】
用紙に摩擦接触して用紙の送り出し作用をする外周面と、前記外周面より内側に引っ込んでいて用紙の送り出し作用をしない部分とを備える、回転軸を中心として回転可能な給紙ローラと、
前記給紙ローラの下方に設けられ、給紙トレイを備えるとともに、先端側が前記給紙ローラの回転位置に応じて、前記給紙ローラの外周面が前記給紙トレイ上の用紙に摩擦接触可能な上方位置と、前記給紙ローラの外周面が前記給紙トレイ上の用紙に摩擦接触不能な下方位置とに移動可能なホッパとを備える給紙装置であって、
前記給紙ローラの外周面が長尺用紙の送り方向長さより短く、名刺やフォトカード等の短尺用紙の送り方向長さより長く設定されており、
前記短尺用紙を給紙トレイから給紙するときには、前記給紙ローラが回転しているときに、その外周面の開始端と終端との間の前記短尺用紙の送り方向長さより短い長さの作用領域だけが、前記短尺用紙の先端付近から後端付近にかけて摩擦接触するように前記ホッパの先端側が前記上方位置と下方位置との間で上下動するように制御されていることを特徴とする短尺用紙給紙装置。
【請求項２】
請求項１において、前記作用領域の先端が、前記給紙ローラの外周面の開始端とほぼ一致することを特徴とする短尺用紙給紙装置。
【請求項３】
請求項１において、前記作用領域の後端が、前記給紙ローラの外周面の終端とほぼ一致することを特徴とする短尺用紙給紙装置。
【請求項４】
請求項１〜請求項３のいずれか１項において、前記短尺用紙給紙装置が、短尺用紙を前記給紙トレイ上において前記給紙ローラの位置に保持するために、給紙トレイに着脱可能なアダプタを備えており、
前記長尺用紙の給紙時に前記ホッパの先端側を上下動させるために、前記給紙ローラの回転軸には第１カムが設けられ、前記給紙トレイ側には前記第１カムと対応する位置に第１カムと協働して第１カム機構を構成する第１カムフォロワが設けられ、
前記短尺用紙の給紙時に前記ホッパの先端側を上下動させるために、前記給紙ローラの回転軸には第２カムが設けられ、前記アダプタには前記第２カムと対応する位置に第２カムと協働して第２カム機構を構成する第２カムフォロワが設けられ、前記第２カム機構は第１カム機構に優先して作用することを特徴とする短尺用紙給紙装置。
【請求項５】
請求項４において、前記アダプタは前記短尺用紙のサイズに応じて複数用意されており、前記第２カム機構は前記複数のアダプタに応じて各短尺用紙のサイズに対応するように設定されていることを特徴とする短尺用紙給紙装置。
【請求項６】
請求項１〜請求項５のいずれか１項に記載の短尺用紙給紙装置を備えることを特徴とする記録装置。
【発明の詳細な説明】
【０００１】
【発明の属する技術分野】
本発明は、名刺などの短尺用紙に印刷可能なプリンタに係り、特に短尺用紙を給紙トレイから印刷部へ送り出すための給紙装置及びそれを備えた記録装置に関するものである。
【０００２】
【従来の技術】
単票紙への印刷が可能なインクジェットプリンタには、断面が蒲鉾型をした給紙ローラを備えたものがある。このような給紙ローラは、単票Ｐが積層されたホッパが上方に回動した状態で、回転軸を中心として回転することにより、外周面が最上部の単票紙に摩擦当接して前方へ送り出すことができる。給紙ローラが回転して、給紙ローラの切り欠き部が単票紙と対向するようになると、給紙ローラの紙送り作用は終了し、次の単票紙の紙送りに備えて待機するようになる。
【０００３】
【発明が解決しようとする課題】
しかし、日本工業規格Ａ４版やＢ５版の単票紙を給紙可能な給紙ローラで名刺サイズやフォトカードなどの短尺の単票紙を給紙する場合には、短尺の単票紙の長さよりも給紙ローラの外周面の長さの方が大きいため、給紙ローラにより一枚の短尺単票紙を送り終わったとき、給紙ローラの外周面が次の単票紙に接触して、次の単票紙の送り出しを開始してしまう。これにより、印刷位置のずれや用紙詰まり等を生じてしまうことがある。特に近年では、プリンタの機能増加による機構スペースの増加により、給紙ユニットと紙送りローラとの間の距離が長くなっており、そのため給紙ローラが大径化して上記のような不具合を生じ易くなっている。
【０００４】
本発明の目的は、Ａ４版やＢ５版の長尺の単票紙を給紙可能な給紙ローラを使用して、名刺サイズなどの短尺用紙も問題なく給紙することができる短尺用紙給紙装置およびそれを備えた記録装置を提供することにある。
【０００５】
【課題を解決するための手段】
上記課題を達成するため、本願請求項１に記載の短尺用紙給紙装置は、用紙に摩擦接触して用紙の送り出し作用をする外周面と、前記外周面より内側に引っ込んでいて用紙の送り出し作用をしない部分とを備える、回転軸を中心として回転可能な給紙ローラと、前記給紙ローラの下方に設けられ、給紙トレイを備えるとともに、先端側が前記給紙ローラの回転位置に応じて、前記給紙ローラの外周面が前記給紙トレイ上の用紙に摩擦接触可能な上方位置と、前記給紙ローラの外周面が前記給紙トレイ上の用紙に摩擦接触不能な下方位置とに移動可能なホッパと、を備える給紙装置であって、前記給紙ローラの外周面が長尺用紙の送り方向長さより短く、名刺やフォトカード等の短尺用紙の送り方向長さより長く設定されており、前記短尺用紙を給紙トレイから給紙するときには、前記給紙ローラが回転しているときに、その外周面の開始端と終端との間の前記短尺用紙の送り方向長さより短い長さの作用領域だけが、前記短尺用紙の先端付近から後端付近にかけて摩擦接触するように前記ホッパの先端側が前記上方位置と下方位置との間で上下動するように制御されていることを特徴とするものである。
【０００６】
本発明によれば、給紙ローラの外周面の長さのうち、ほぼ短尺用紙の送り方向長さ分の作用領域だけが短尺用紙に摩擦接触して送り作用をなすから、最上部の短尺用紙が給紙トレイから送り出された後に、給紙ローラの外周面が次の短尺用紙に接触して次の短尺用紙を一緒に送り出し始めてしまうことを防止できる。
【０００７】
また、本願請求項２に記載の発明は、請求項１に記載された短尺用紙給紙装置において、前記作用領域の先端が、前記給紙ローラの外周面の開始端とほぼ一致することを特徴とするものである。
【０００８】
本発明によれば、給紙ローラの外周面の開始端が短尺用紙の先端付近に摩擦当接した後、外周面が短尺用紙の終端付近まで摩擦接触して短尺用紙を前方に送り出し始める。給紙ローラの外周面が短尺用紙の終端付近になると、ホッパの先端が下方に移動して給紙ローラの外周面が短尺用紙から離れるので、今回送り出された短尺用紙の次の短尺用紙を誤って送り出してしまうことがなくなる。
【０００９】
また、本願請求項３に記載の発明は、請求項１に記載された短尺用紙給紙装置において、前記作用領域の後端が、前記給紙ローラの外周面の終端とほぼ一致することを特徴とするものである。
【００１０】
本発明によれば、給紙ローラの外周面の開始端が短尺用紙の先端付近まで回転してもこの時点ではホッパの先端は上昇せず、外周面の開始端が短尺用紙の先端付近を一定距離進行した後、給紙ローラの外周面が短尺用紙に摩擦当接し、短尺用紙を前方に送り出し始める。給紙ローラの外周面の終端が短尺用紙の終端付近になると、ホッパの先端が下方に移動して給紙ローラの外周面が短尺用紙から離れるので、今回送り出された短尺用紙の次の短尺用紙を誤って送り出してしまうことがなくなる。
【００１１】
また、本願請求項４に記載の発明は、請求項１〜請求項３のいずれか１項に記載された短尺用紙給紙装置において、前記短尺用紙給紙装置が、短尺用紙を前記給紙トレイ上において前記給紙ローラの位置に保持するために、給紙トレイに着脱可能なアダプタを備えており、前記長尺用紙の給紙時に前記ホッパの先端側を上下動させるために、前記給紙ローラの回転軸には第１カムが設けられ、前記給紙トレイ側には前記第１カムと対応する位置に第１カムと協働して第１カム機構を構成する第１カムフォロワが設けられ、前記短尺用紙の給紙時に前記ホッパの先端側を上下動させるために、前記給紙ローラの回転軸には第２カムが設けられ、前記アダプタには前記第２カムと対応する位置に第２カムと協働して第２カム機構を構成する第２カムフォロワが設けられ、前記第２カム機構は第１カム機構に優先して作用することを特徴とするものである。
【００１２】
本発明によれば、短尺用紙に印刷をするためにアダプタを給紙トレイに取り付けることにより、第１カム機構に優先して第２カム機構が作動するようになる。第２カム機構の作動により、給紙ローラの外周面のうち短尺用紙の送り方向長さより短い長さの作用領域だけが、短尺用紙の先端付近から後端付近にかけて摩擦接触するように、ホッパの先端側が上方位置と下方位置との間で上下動するようになる。
【００１３】
また、本願請求項５に記載の発明は、請求項４に記載された短尺用紙給紙装置において、前記アダプタは前記短尺用紙のサイズに応じて複数用意されており、前記第２カム機構は前記複数のアダプタに応じて各短尺用紙のサイズに対応するように設定されていることを特徴とするものである。
【００１４】
本発明によれば、短尺用紙のサイズに応じてアダプタを変え、該アダプタに設けられた用紙サイズに応じて異なるカムフォロワと給紙ローラの回転軸に設けられ用紙サイズに応じて異なるカムとの協働により、短尺用紙のサイズに応じてホッパの上下動のタイミングが異なるようになる。
【００１５】
また、本願請求項６に記載の記録装置は、請求項１〜請求項５のいずれか１項に記載の短尺用紙給紙装置を備えることを特徴とするものである。本発明によれば、長尺用紙と短尺用紙の両方を１つの給紙ローラで給紙することができ、しかも短尺用紙を２重送りすることなく給紙することができる。
【００１６】
【発明の実施の形態】
以下、本願発明の実施の形態を図面に基づいて説明する。図１は本発明の短尺用紙給紙装置を適用した記録装置の一例であるインクジェットプリンタを示す側面図である。インクジェットプリンタ１は、プリンタ本体３と、該プリンタ本体３の後方上部に設けられる給紙部５と、プリンタ本体３の前方に形成される排紙部７とを備えて成る。
【００１７】
給紙部５には、ホッパ９が設けられ、ホッパ９上に形成された給紙トレイ１１には複数枚の用紙が積載できるようになっている。給紙トレイ１１の直ぐ下流側に、は給紙ローラ１３が設けられている。給紙ローラ１３は、全体がほぼ蒲鉾型の形状をしており、用紙に摩擦接触して対向する分離パッドとの間で給紙トレイ１１の最上部に位置する用紙を挟圧して送り出す作用を担う外周面１２と、外周面１２より内側に引っ込んでいて、用紙の送り出し作用をしない切り欠き部１５とを備えている。
【００１８】
図３に示す如く、給紙ローラ１３の回転軸２０には第１カム２２が設けられており、第１カム２２はホッパ９側に形成される第１カムフォロワ２４と協働して第１カム機構を構成する。第１カム機構は、給紙ローラ１３が所定量回転したときに、第１カム２２が第１カムフォロワ２４を下方へ押し込むことにより、ホッパ９に設けられた上方への付勢装置（図示せず）による付勢作用に抗してホッパ９の前端側を下方へ押し下げる作用をする。
【００１９】
図１に戻り、給紙トレイ１１から送り出された用紙は、下側の紙送り駆動ローラ１６及び上側の紙送り従動ローラ１７から構成される紙送りローラ１９に至り、駆動系により印刷工程における精密な紙送り動作を受けながら、紙送りローラ１９の下流側に位置する印刷ヘッド２１へ給紙される。
【００２０】
印刷ヘッド２１は、キャリッジ２３に支持されており、キャリッジ２３は、給紙方向と直交する方向（主走査方向）へ往復運動できるようになっている。印刷ヘッド２１と対向する位置には、プラテン２５が設けられており、該プラテン２５は、印刷ヘッド２１によって用紙に印刷を行う際に、用紙を下側から支持する作用を担う。
【００２１】
印刷ヘッド２１とプラテン２５との距離、即ちペーパーギャップは、印刷ヘッド２１を支持するキャリッジ２３を上下動させることにより、用紙の厚さに応じて適宜調節できるようになっている。ペーパーギャップが適正に調整されている状態では、用紙はプラテン２５上を滑らかに通過しながら、高品質の印刷が行なわれるようになっており、印刷ヘッド２１で印刷された用紙は、排紙部７に設けられる排紙ローラ２７によって順次排出される。排紙ローラ２７は、下側の排紙駆動ローラ２９及び上側の排紙ギザローラ３１から構成されており、用紙Ｐが排紙駆動ローラ２９の回転駆動により引き出されて排出される機構となっている。
【００２２】
インクジェットプリンタ１は、概略以上のような構成を備えており、このプリンタ１は、日本工業規格Ａ４版、Ｂ５版等の長尺用紙の他、名刺サイズやフォトカードなどの短尺用紙への印刷も可能となっている。図２は、Ａ４版、Ｂ５版等の長尺用紙を給紙するときの給紙ローラ１３の駆動状態を示している。図２（ａ’）は、給紙ローラ１３の外周面１２を直線的に延ばして示す長さＬ１と長尺用紙Ｐの搬送方向長さＬ２との関係を示し、同図からわかるようにＬ１＜Ｌ２となっている。尚、後述する図４（ａ’）、図６（ａ’）も同様な関係を示す図である。
【００２３】
このような搬送方向長さＬ２を有する長尺用紙Ｐを給紙するためには、まず第１カム２２と第１カムフォロワ２４とのカム作用により、図２（ａ）に示す如く、上記図示しない付勢装置の作用によりホッパ９の先端側が矢印３３で示す如く上方へ回動し、これにより給紙ローラ１３の外周面１２の開始端３５が最上部の長尺用紙Ｐ１の先端３７付近に摩擦当接するようになる。またホッパ９の上昇とほぼ同時に、給紙ローラ１３が図の時計回り方向に回転するようになる。これにより図２（ｂ）に示す如く、給紙トレイ１１上の最上部の長尺用紙Ｐ１が前方へ送り出される。
【００２４】
図２（ｃ）に示す如く、最上部の長尺用紙Ｐ１がほぼ完全に送り出されたとき、長尺用紙Ｐ１の後端３９には給紙ローラ１３の外周面１２はもはや接触せず、後端３９上に給紙ローラ１３の切り欠き部１５が位置するようになる。このように給紙工程の最終段階では、給紙ローラ１３の外周面１２は長尺用紙Ｐ１の後端３９に接触しないから、外周面１２は次の長尺用紙Ｐ２にも接触することがなく、誤って次の長尺用紙Ｐ２を送り始めてしまうことが防止されている。一枚の長尺用紙Ｐ１が送り出されると、第１カム２２と第１カムフォロワ２４とのカム作用により、ホッパ９の先端側が矢印４１で示す如く下方へ回動し、次の用紙の給紙に備えるようになる。
【００２５】
以上、長尺用紙Ｐの上記給紙動作は従来行われていたものであり、このような長尺用紙Ｐを給紙可能な大きさの給紙ローラ１３で、名刺、フォトカード等の短尺用紙Ｑを給紙するときの給紙動作について、以下図３〜図５を参照しながら説明する。
【００２６】
図３は、短尺用紙Ｑを給紙動作する直前の様子を示す給紙トレイ周辺の斜視図であり、図４は、短尺用紙Ｑを給紙するときの給紙ローラ１３の駆動状態を示す説明図である。短尺用紙Ｑに印刷を行う場合には、図３に示す如く、給紙ローラ１３の位置に短尺用紙Ｑを位置決めできるようにするためのアダプタ４３を給紙トレイ１１上にセットし、該アダプタ４３により形成されたセット領域４５に短尺用紙Ｑを載置するようにする。
【００２７】
アダプタ４３は、底板４５と、底板４５の左端側に形成される左壁４７と、左壁４７から短尺用紙Ｑのほぼ幅寸法の所に形成される右壁４９と、短尺用紙Ｑの後方への飛び出しを規制する後方規制板５１とを備えて成り、上記セット領域４５は左壁４７と右壁４９との間に形成されている。
【００２８】
アダプタ４３の右壁４９の前端には、図５に示す如く第２カムフォロワ５３が設けられており、この第２カムフォロワ５３は、給紙ローラ１３の回転軸２０の対応する位置に設けられた第２カム５５と協働して第２カム機構を構成する。第２カム機構は、第１カム機構同様、給紙ローラ１３が所定量回転したときに、第２カム５５が第２カムフォロワ５３を下方へ押し込むことにより、ホッパ９に設けられた上記付勢装置による付勢作用に抗してホッパ９の前端側を下方へ押し下げる作用をするが、このような第２カム機構によるカム作用は、第１カム機構に優先して行われるようになっている。即ち、給紙トレイ１１にアダプタ４３を取り付けたときは第２カム機構が作用するが、アダプタ４３が取り付けられていないときには第１カム機構が作用するようになっている。
【００２９】
またアダプタ４３は、短尺用紙Ｑの大きさに応じて複数種類のものを用意することができ、各アダプタ４３に設けられる第２カムフォロワ５３は、以下説明する短尺用紙Ｑの給紙動作が可能なようにアダプタ４３毎に変更することができる。なお図４（ａ’）は、給紙ローラ１３の外周面１２の長さＬ１と短尺用紙Ｑの搬送方向長さＬ２との関係を示し、同図からわかるように、Ｌ１＞Ｌ２となっている。また図４（ａ’）中、長さＬ１に対する長さＬ２の左右方向の位置は、短尺用紙Ｑが給紙ローラ１３の外周面１２の開始端３５と終端３６との間のどの位置で摩擦当接しているかを示している。
【００３０】
アダプタ４３にセットされた短尺用紙Ｑを給紙するときには、まず第２カム５５と第２カムフォロワ５３とのカム作用により、図４（ａ）に示す如く、図示しない付勢装置の作用によりホッパ９の先端側が矢印３３で示す如く上方へ回動し、これにより給紙ローラ１３の外周面１２の開始端３５が最上部の短尺用紙Ｑ１の先端３７付近に摩擦当接するようになる。またホッパ９の上昇とほぼ同時に、給紙ローラ１３が図の時計回り方向に回転するようになる。これにより図４（ｂ）に示す如く、給紙トレイ１１上の最上部の短尺用紙Ｑ１が前方へ送り出される。
【００３１】
最上部の短尺用紙Ｑ１が完全に送り出される直前のタイミングで、図４（ｃ）に示す如く、再び第２カム５５と第２カムフォロワ５３とのカム作用により、付勢装置の上方付勢作用に抗してホッパ９の先端側が矢印４１で示すように下方へ回動し、これにより最上部の短尺用紙Ｑ１が給紙ローラ１３の外周面１２から離れ、その後は短尺用紙Ｑ１に接触しない状態で回転するようになる。このことは図４（ａ’）において、給紙ローラ１３の外周面１２の終端３６側に近い方の領域（図の右側部分）が短尺用紙Ｑ１の長さと重なっていないことに現れている。
【００３２】
給紙ローラ１３の外周面１２は、上記タイミングで短尺用紙Ｑから離れるため、次の短尺用紙Ｑ２が誤って送り出されることが防止される。給紙ローラ１３は、図４（ｄ）に示す位置まで回転後、次の短尺用紙Ｑ２の指令信号が入力されるまで図４（ｄ）に示す状態で待機することになる。
【００３３】
次に、長尺用紙Ｐを給紙可能な大きさの上記給紙ローラ１３で、短尺用紙Ｑを給紙するときの他の実施の形態について図６を参照しながら説明する。本例では図６（ａ’）に示す如く、給紙ローラ１３の外周面１２の長さＬ１に対して短尺用紙Ｑの搬送方向長さＬ２が後方側（右寄り）に位置しており、これは給紙ローラ１３の外周面１２の開始端３５側に近い方の領域（図の左側部分）が、短尺用紙Ｑ１の給紙に使用されていないことを意味する。
【００３４】
即ち本例では、まず図６（ａ）に示す如く、給紙ローラ１３の外周面１２の開始端３５が回転して短尺用紙Ｑ１の先端３７付近を通過しても、この時点ではホッパ９の先端側が上方へ回動しない。図５（ｂ）に示す如く、図５（ａ）の状態から円周角θだけ回転した時に、第２カム機構の作用と上方への付勢機構とにより矢印３３で示す如くホッパ９の先端側が上方へ回動して、最上部の短尺用紙Ｑ１の先端３７付近が給紙ローラ１３の外周面１２に当接するようになる。
【００３５】
この状態で引き続き給紙ローラ１３が回転することにより、最上部の短尺用紙Ｑ１が送り出され、図５（ｃ）に示す如く、給紙ローラ１３の外周面１２の終端３６よりやや手前の地点で最上部の短尺用紙Ｑ１の送り出しが終了する。従って、次の短尺用紙Ｑ２に給紙ローラ１３の外周面１２が接触して次の短尺用紙Ｑ２を給紙し始めることがない。
【００３６】
最上部の短尺用紙Ｑ１が給紙トレイ１１から送り出された後、図５（ｄ）に示す如く、第２カム機構に作用によりホッパ９の先端側が矢印４１で示すように下方へ回動し、次の短尺用紙Ｑ２を送り出すために待機する。
【００３７】
以上、長尺用紙Ｐを給紙可能な大きさの給紙ローラ１３で短尺用紙Ｑを給紙するときの２つの実施の形態について説明したが、本発明の短尺用紙給紙装置では、要するに給紙ローラ１３が回転しているときに、その外周面１２の開始端３５と終端３６との間のいずれかの連続した領域が、短尺用紙Ｑの先端付近から後端付近にかけて摩擦接触するようにホッパ９の先端側が上下動するように制御されればよい。このようなホッパ９の上下動の制御は、第２カム機構の形状を適宜変更することにより行うことができる他、電磁弁等を使用して適宜のタイミングを図りホッパ９を上下動させるようにしてもよい。
【００３８】
【発明の効果】
本発明によれば、給紙ローラの外周面の長さのうち、ほぼ短尺用紙の送り方向長さ分の作用領域だけが短尺用紙に摩擦接触して送り作用をなすから、最上部の短尺用紙が給紙トレイから送り出された後に、給紙ローラの外周面が次の短尺用紙に接触して次の短尺用紙を一緒に送り出し始めてしまうことを防止できる。
【図面の簡単な説明】
【図１】本発明の短尺用紙給紙装置を適用した記録装置の一例であるインクジェットプリンタを示す側面図である。
【図２】本発明に係り、長尺用紙を給紙するときの給紙ローラの駆動状態を示す説明図である。
【図３】本発明に係り、短尺用紙を給紙動作する直前の様子を示す給紙トレイ周辺の斜視図である。
【図４】本発明に係り、短尺用紙を給紙するときの給紙ローラの駆動状態の一実施の形態を示す説明図である。
【図５】本発明に係り、第２カムと第２カムフォロワ周辺を示す側面図である。
【図６】本発明に係り、短尺用紙を給紙するときの給紙ローラの駆動状態の他の実施の形態を示す説明図である。
【符号の説明】
５　給紙部
９　ホッパ
１１　給紙トレイ
１２　外周面
１３　給紙ローラ
１５　切り欠き部
１９　紙送りローラ
２０　給紙ローラの回転軸
２２　第１カム
２４　第１カムフォロワ
２７　排紙ローラ
３３　矢印
３５　外周面の開始端
３６　外周面の終端
３７　長尺用紙の先端
３９　長尺用紙の後端
４１　矢印
４３　アダプタ
４５　底板
４７　左壁
４９　右壁
５１　後方規制板
５３　第２カムフォロワ
５５　第２カム
Ｐ　長尺用紙
Ｑ　短尺用紙
Ｌ１　給紙ローラの外周面の長さ
Ｌ２　用紙の送り方向長さ
【図１】
2004043171.tif 000003
【図２】
2004043171.tif 000004
【図３】
2004043171.tif 000005
【図４】
2004043171.tif 000006
【図５】
2004043171.tif 000007
【図６】
2004043171.tif 000008